(57)【要約】【課題】脱衣順に衣料をハンガーに掛けることを容易に行うことができる、使いやすいハンガーを提供する。【解決手段】ハンガーは、衣服の両肩部を支持するための棒状部材を有する肩支持部と、肩支持部の中央部分の上側に取り付けられるフックと、肩支持部の中央部分の前側にその一端が取り付けられ、他のハンガーを接続可能でありかつ伸縮自在な伸縮棒とを備えている。また、伸縮棒に代えて、旋回部材と固定部材とを備えるようにしてもよい。旋回部材は、他のハンガーを接続可能な棒状部材を有し、当該棒状部材が肩支持部の下方で略鉛直方向を向く第１状態と、当該棒状部材が肩支持部の前方で略水平方向を向く第２状態との間で旋回することができるように肩支持部に接続される。固定部材は、第２状態で旋回部材を固定的に保持する。【選択図】図１
2009045146.tif 000002
【特許請求の範囲】
【請求項１】
衣料を支持するためのハンガーであって、
衣服の両肩部を支持するための棒状部材を有する肩支持部と、
前記肩支持部の中央部分の上側に取り付けられるフックと、
前記肩支持部の中央部分の前側にその一端が取り付けられ、他のハンガーを接続可能でありかつ伸縮自在な伸縮棒とを備える、ハンガー。
【請求項２】
衣料を支持するための主ハンガーおよび１以上の付属ハンガーを含むハンガーセットであって、
前記主ハンガーは、
衣服の両肩部を支持するための棒状部材を有する肩支持部と、
前記肩支持部の中央部分の上側に取り付けられるフックと、
前記肩支持部の中央部分の前側にその一端が取り付けられ、前記付属ハンガーを接続可能でありかつ伸縮自在な伸縮棒とを備え、
前記付属ハンガーは、ボトムスを掛けるための棒状部材を有する、ハンガーセット。
【請求項３】
衣料を支持するためのハンガーであって、
衣服の両肩部を支持するための棒状部材を有する肩支持部と、
前記肩支持部の中央部分の上側に取り付けられるフックと、
他のハンガーを接続可能な棒状部材を有し、当該棒状部材が前記肩支持部の下方で略鉛直方向を向く第１状態と、当該棒状部材が前記肩支持部の前方で略水平方向を向く第２状態との間で旋回することができるように前記肩支持部に接続される旋回部材と、
前記第２状態で前記旋回部材を固定的に保持する固定部材とを備える、ハンガー。
【請求項４】
衣料を支持するための主ハンガーおよび１以上の付属ハンガーを含むハンガーセットであって、
前記主ハンガーは、
衣服の両肩部を支持するための棒状部材を有する肩支持部と、
前記肩支持部の中央部分の上側に取り付けられるフックと、
前記付属ハンガーを接続可能な棒状部材を有し、当該棒状部材が前記肩支持部の下方で略鉛直方向を向く第１状態と、当該棒状部材が前記肩支持部の前方で略水平方向を向く第２状態との間で旋回することができるように前記肩支持部に接続される旋回部材と、
前記第２状態で前記旋回部材を固定的に保持する固定部材とを備え、
前記付属ハンガーは、ボトムスを掛けるための棒状部材を有する、ハンガーセット。
【発明の詳細な説明】
【技術分野】
【０００１】
本発明は、衣料用のハンガーおよびハンガーセットに関し、より特定的には、上下組服を掛けることが可能なハンガーセットおよびそれに用いられるハンガーに関する。
【背景技術】
【０００２】
従来の一般的なハンガーは、衣料を支持するための支持部と、ハンガーパイプや部屋の壁に取り付けられたフック等に支持部を吊すためのフック部とからなる構成である。支持部は、大略的には二等辺三角形の形状の枠で構成され、二等辺三角形の底辺部分の枠に相当する横棒部と、底辺以外の２辺に相当する枠である肩支持部とからなる。上記のように構成されるハンガーは、肩支持部にジャケット等の上着やシャツ等（以下、上着服と呼ぶ）を掛け、横棒部にズボンやスカート等（以下、ボトムスと呼ぶ）を掛けて使用する。このように、従来のハンガーでは上着服およびボトムスの両方を掛けることができる。
【０００３】
ここで、脱衣の一般的な手順は、まず上着服を脱ぎ、次にボトムスを脱ぐという順序であるので、衣料をハンガーに掛ける際においても、上着服を掛けた後でボトムスを掛けることができると便利である。しかし、従来のハンガー構造では、上着服をボトムスより先にハンガーに掛けると、上着服が横棒部を覆い隠してしまうので、上着服をハンガーに掛けた後にボトムスを横棒部に掛けることができなくなってしまう。つまり、従来のハンガーでは、脱衣した順序とは逆の順序で衣料をハンガーに掛けていかなければならず、大変不便であった。
【０００４】
なお、上着服およびボトムスを掛けるためのハンガーとしては、特許文献１に記載されているハンガーがある。特許文献１に記載されているハンガーでは、ボトムスを掛けるための保持棒（旋回衣服保持体）が可動するように構成されている。具体的には、旋回衣服保持体は、ハンガー本体から吊り下げられた状態でハンガー本体と接続されており、接続部分を中心に旋回移動することが可能である（特許文献１の図４参照）。ボトムスを掛けるための旋回衣服保持体を可動とすることによって、このハンガーに上着服およびボトムスを掛ける際、使用者は、ハンガー本体に上着服を掛ける邪魔にならないように上記旋回衣服保持体を持ち上げながら上着服をハンガー本体に掛けることができ、その後、旋回衣服保持体にボトムスを掛けることができる。このように、特許文献１に記載のハンガーによれば、脱衣した順序で衣料をハンガーに掛けることができる。
【０００５】
また、２つのハンガーを連結可能にしているハンガー、すなわち、ボトムスを掛けるためのハンガー（ボトムスハンガー）を、上着ハンガーの肩支持部の中央部に連結させ、着脱自在にした技術が開示されている（例えば、特許文献２）。特許文献２に記載されているハンガーは、上着ハンガー及びボトムスハンガーからなる。上着ハンガーの肩支持部の中央付近には、ボトムスハンガーを懸架可能な突起部が設けられる。当該突起部にボトムスハンガーのフック部が掛けられる。以上の構成によれば、上着ハンガーへ最初に上着服が掛けられたとしても、ボトムスハンガーを上着服の内側から取り出し、さらに戻すことができる。
【特許文献１】特表２０００−５０６７６３号公報
【特許文献２】特開２００６−２９６８２３号公報
【発明の開示】
【発明が解決しようとする課題】
【０００６】
しかしながら、特許文献１のハンガーでは、使用者は、邪魔にならないように旋回衣服保持体を持ち上げながら上着服をハンガーに掛けなければならない。つまり、一方の手で旋回衣服保持体を持ち上げながら他方の手で上着服をハンガーに掛けなければならないので、上着服をハンガーに掛けづらい。なお、上記ハンガーの使用方法としては、旋回衣服保持体を持ち上げずに（吊り下げられた状態のまま）上着服をハンガーに掛けた後、旋回衣服保持体を持ち上げて当該旋回衣服保持体にボトムスを掛ける方法も可能である。つまり、旋回衣服保持体を持ち上げずに上着服をハンガーに掛けると、上着服によって旋回衣服保持体が覆われた状態となるので、旋回衣服保持体を持ち上げることによって上着服の内側から旋回衣服保持体を取り出してボトムスを掛けるのである。しかし、この方法では、旋回衣服保持体を取り出す際に上着服をハンガーから落としてしまう可能性がある。以上のように、特許文献１のハンガーでは、脱衣順に衣料をハンガーに掛けることはできるものの、その使用方法は容易ではなかった。
【０００７】
次に、特許文献２で開示されているハンガーでは、上着服を上着ハンガーへ掛けた場合、上着服が、該上着ハンガーに懸架されているボトムスハンガーを覆い隠してしまうので、ボトムスハンガーを上着服の内側から取り出さなければならない。したがって、上記特許文献１の後者のハンガーと同様、ボトムスハンガーを取り出す作業が面倒であるとともに、ボトムスハンガーを取り出す際に上着服を上着ハンガーから落としてしまう可能性があるという問題点があった。
【０００８】
それ故、本発明の目的は、脱衣順に衣料をハンガーに掛けることを容易に行うことができる、使いやすいハンガーを提供することである。
【課題を解決するための手段】
【０００９】
上記のような目的を達成するために、本発明は、以下に示すような特徴を有している。すなわち、第１の発明は、衣料を支持するためのハンガーである。当該ハンガーは、衣服の両肩部を支持するための棒状部材を有する肩支持部と、肩支持部の中央部分の上側に取り付けられるフックと、肩支持部の中央部分の前側にその一端が取り付けられ、他のハンガーを接続可能でありかつ伸縮自在な伸縮棒とを備えている。
【００１０】
また、第２の発明は、衣料を支持するためのハンガーである。当該ハンガーは、衣服の両肩部を支持するための棒状部材を有する肩支持部と、肩支持部の中央部分の上側に取り付けられるフックと、他のハンガーを接続可能な棒状部材を有し、当該棒状部材が肩支持部の下方で略鉛直方向を向く第１状態と、当該棒状部材が肩支持部の前方で略水平方向を向く第２状態との間で旋回することができるように肩支持部に接続される旋回部材と、第２状態で旋回部材を固定的に保持する固定部材とを備えている。
【００１１】
なお、本発明は、上記第１または第２の発明に係るハンガーと、当該ハンガーに接続可能な１以上の付属ハンガーとを含むハンガーセットとして提供されてもよい。
【発明の効果】
【００１２】
本発明によれば、複数のハンガーを間隔を設けて配置することができるので、各衣服（上着服、ボトムス、およびワイシャツ（ブラウス））を脱衣順にハンガーに容易に掛けることができる。よって、公共の場で更衣する場合には、容易にボトムスを更衣作業の最後にハンガーに掛けられるので、他人に下着を見られる時間が少なくて済み、更衣姿も不格好とはならず、スマートに更衣作業を完了することができる。また、例えば衣類を保管する場合やハンガーを使用しない場合等の適宜の場合には、複数のハンガーの（前後方向の）幅を小さくすることにより、収納しやすいハンガーを提供することができる。
【００１３】
また、本発明に係るハンガーでは、主ハンガーの肩支持部の下端より下方に付属ハンガーの肩支持部が配置されるようになっているので、本発明に係るハンガーにおいて、各衣服（上着服、ボトムス、およびワイシャツ（ブラウス））を掛ける場合、従来のハンガーと比べ、収納面積を取らないこととなる。つまり、主ハンガーの肩支持部の湾曲されたスペース内に付属ハンガーが収まることとなるので、従来のハンガーで２本以上使用する場合に必要としていた収納スペースより少なくて済むハンガーを提供することができる。
【発明を実施するための最良の形態】
【００１４】
（第１の実施形態）
図１〜図３を参照して、本発明の第１の実施形態に係るハンガーセットの構造について説明する。図１は、第１の実施形態に係るハンガーセットの構成を示す全体斜視図である。図１に示すように、第１の実施形態に係るハンガーセットは、主ハンガー１と、第１付属ハンガー２と、第２付属ハンガー３という３つのハンガーを含む。また、図１に示すように、主ハンガー１には、第１付属ハンガー２および第２付属ハンガー３が着脱自在に接続される。また、以下では、図１に示すｘ軸正方向を主ハンガー１の前方向（前側）とし、ｘ軸負方向を主ハンガー１の後方向（後側）とし、ｙ軸正方向を主ハンガー１の上方向（上側）とし、ｙ軸負方向を主ハンガー１の下方向（下側）とし、ｚ軸正方向を主ハンガー１の右方向（右側）とし、ｚ軸負方向を主ハンガー１の左方向（左側）として、各ハンガー１〜３の構成を説明する。
【００１５】
まず、主ハンガー１の構成について説明する。図１に示されるように、主ハンガー１は、フック１１、肩支持部１２、および、伸縮棒１３を備えている。主ハンガー１は、伸縮棒１３により、各付属ハンガー２および３を前後方向へ移動可能に支持することができる。
【００１６】
肩支持部１２は、２つの棒状部材が所定の角度（鈍角）で接続された形状である。肩支持部１２は、当該２つの棒状部材で上着服の両肩部分を支持することによって、上着服やシャツ等を支持するための部材である。肩支持部１２は、従来の衣料用ハンガーと同様の材質で構成され、一般的には、合成樹脂等で製造される。肩支持部１２の材質は例えば射出成型可能なポリプロピレン等の熱可塑性樹脂を使用することができるが、材質はどのようなものであってもよい。また、肩支持部１２は、上着服を支持することができればどのようなものであってもよいが、本実施形態においては、肩支持部１２の各棒状部材は、上着服に接触する部分である上側部分が丸みを有するように形成されている。当該上側部分の形状と上着服の肩部の形状とを近似させ、主ハンガー１に上着服をかけた場合にしわができにくくするためである。また、本実施形態においては、各棒状部材は、主ハンガー１に上着服をかけた場合に上着服が型くずれしないよう、上着服の肩部の形状に合わせてやや湾曲している。
【００１７】
フック１１は、肩支持部１２の中央部分、すなわち、２つの棒状部材が接続される部分に取り付けられる。具体的には、フック１１は、当該中央部分の上端（図１に示すｙ軸正方向側の端）に接続される。当該フック１１は、典型的には鉤状の形状であり、主ハンガー１をハンガーパイプ等に掛着するための部材である。
【００１８】
伸縮棒１３は、肩支持部１２の上記中央部分の前側に取り付けられる。伸縮棒１３は、主ハンガー１の前後方向（図に示すｘ軸方向）に伸縮自在な棒状部材である。以下、伸縮棒１３の詳細な構成を説明する。
【００１９】
図２および図３は、図１に示す主ハンガー１の、ｘｙ平面に平行な平面における断面図である。なお、図２および図３は、左右方向に関して主ハンガー１の中心を通る平面における断面図である。また、図２は、伸縮棒１３が伸びた状態の主ハンガー１を示し、図３は、伸縮棒１３が縮んだ状態の主ハンガー１を示している。図２および図３に示すように、伸縮棒１３は、第１〜第３筒状部材１３１〜１３３と、第１および第２接続部材１３４および１３５とを有する。各筒状部材１３１〜１３３は、筒状の部材であり、各筒状部材１３１〜１３３の穴（筒の内側の空洞部分）の断面形状（軸方向と垂直な平面での断面形状）は四角形である。なお、第１の実施形態においては、各筒状部材１３１〜１３３の外形形状を直方体形状とするが、他の実施形態においては、各筒状部材１３１〜１３３の外形形状は円柱状や三角柱状であってもよい。また、第１および第２筒状部材１３１および１３２は両端が開口しており、第３筒状部材１３３は一端のみが開口している。
【００２０】
第１筒状部材１３１の穴は第２筒状部材１３２よりも若干大きく設計されており、第１筒状部材１３１の内側に第２筒状部材１３２を収納することが可能である。図２および図３に示されるように、第２筒状部材１３２は、その一部が少なくとも第１筒状部材１３１の穴の一部に含まれた状態で、第１筒状部材１３１の内側を摺動するように配置される。なお、第１筒状部材１３１の内周側の側面には、前側（ｘ軸正方向側）の端において凸部が形成されており、第２筒状部材１３２の外周側の側面には、後側の端において凸部が形成されている。これにより、第２筒状部材１３２が第１筒状部材１３１の内側を摺動しても、第１筒状部材１３１の前側から第２筒状部材１３２が抜けてしまうことがないようになっている。
【００２１】
また、第２筒状部材１３２の穴は第３筒状部材１３３よりも若干大きく設計されており、第２筒状部材１３２の内側に第３筒状部材１３３を収納することが可能である。図２および図３に示されるように、第３筒状部材１３３は、その一部が少なくとも第２筒状部材１３２の穴の一部に含まれた状態で、第２筒状部材１３２の内側を摺動するように配置される。また、第２筒状部材１３２の内周側の側面には、前側の端において凸部が形成されており、第３筒状部材１３３の外周側の側面には、後側の端において凸部が形成されている。これにより、第３筒状部材１３３が第２筒状部材１３２の内側を摺動しても、第２筒状部材１３２の前側から第３筒状部材１３３が抜けてしまうことがないようになっている。
【００２２】
以上のように、各筒状部材１３１〜１３３は、小さい方の筒状部材が大きい方の筒状部材の内部を摺動する構成となっており、このような構成によって伸縮棒１３は伸縮自在となっている。
【００２３】
また、各接続部材１３４および１３５は、第１付属ハンガー２および第２付属ハンガー３を接続するための部材である。第１接続部材１３４は、図２および図３に示されるように、第２筒状部材１３２に接続される。本実施形態では、各接続部材１３４および１３５は、穴を有する形状であるが、各付属ハンガー２および３を掛着することができるような形状であればどのような形状であってもよく、例えば鉤状の形状であってもよい。第１接続部材１３４は、各筒状部材１３１〜１３３ができるだけ広い範囲で伸縮することができるように、第２筒状部材の前端部に接続される。同様に、第２接続部材１３５は第３筒状部材１３３の前端部に接続される。
【００２４】
また、本実施形態においては、肩支持部１２の中央部分には四角柱状に穴１２ａが設けられている。第１筒状部材１３１は、その一部が少なくとも穴１２ａ内に含まれた状態で、当該穴１２ａの内側を摺動するように配置される。図２および図３に示されるように、穴１２ａの内壁の所定位置には凸部が形成されており、第１筒状部材１３１の外周側の側面には、後側の端において凸部が形成されている。これにより、第１筒状部材１３１が穴１２ａの内側を摺動しても、穴１２ａの前側から第１筒状部材１３１が抜け落ちてしまうことがないようになっている。
【００２５】
また、穴１２ａにおいて上記凸部が形成される所定位置とは、肩支持部１２の前側の表面から所定の長さＬだけ内側の位置である。この所定の長さＬは、第１接続部材１３４の前後方向の長さＬ１と、第２接続部材１３５の前後方向の長さＬ２との和以上であることが好ましい（図２参照）。これによれば、図３に示されるように、伸縮棒１３を縮めた際、伸縮棒１３の全体を肩支持部１２の内側へ収納することができる。すなわち、第３筒状部材１３３の前端部が肩支持部１２の前側の表面よりも内側に位置することになる。なお、伸縮棒１３を肩支持部１２の内側へ収納する際に各接続部材１３４および１３５が穴１２ａの下側の壁に当たらないように、穴１２ａの下側の内壁１２ｂは、上記所定位置よりも前側で開放されている（図２参照）。つまり、下側の内壁１２ｂは、肩支持部１２の後側から上記所定位置までのみ設けられている。したがって、穴１２ａの下側の内壁１２ｂは、伸縮棒１３を縮めた際に各接続部材１３４および１３５が当該内壁に当たる部分のみ開放しておけばよく、下側の内壁の全面を開放する必要はない。図１に示されるように、各接続部材１３４および１３５が当該内壁に当たらない部分については内壁を設けておいてもよい。
【００２６】
次に、伸縮棒１３を肩支持部１２に取り付けるためには、以下のようにすればよい。第２筒状部材１３２を第１筒状部材１３１の内部へ後側から挿入するとともに、第３筒状部材１３３を第２筒状部材１３２の内部へ後側から挿入する。これによって、各筒状部材１３１〜１３３が伸縮可能に接続されたこととなる。次に、接続された各筒状部材１３１〜１３３を肩支持部１２の穴１２ａへ後側から挿入した後、穴１２ａの後側の開口部を栓１２１によって塞ぐ。その後、第２筒状部材１３２および第３筒状部材１３３の前端部に第１接続部材１３４および第２接続部材１３５をそれぞれ接続する。以上によって、伸縮棒１３を肩支持部１２に取り付けることができる。
【００２７】
なお、本実施形態では、伸縮棒１３を３つの筒状部材１３１〜１３３によって構成されるものとして説明したが、他の実施形態においては、筒状部材の数は１以上であればいくつであってもよい。また、肩支持部１２と伸縮棒１３とを接続する方法はどのような方法であってもよく、例えば、第１筒状部材１３１を肩支持部１２に接着剤等で固着するようにしてもよい。この場合、肩支持部１２に対して第１筒状部材１３１は固定されるが、伸縮棒１３自体が伸縮するので、問題はない。また、第１筒状部材１３１を肩支持部１２に固着する場合には、穴１２ａに第１筒状部材１３１を挿入することに代えて、肩支持部１２の中央部分の下端に第１筒状部材１３１を接着するようにしてもよい。この場合、各接続部材１３４および１３５が穴１２ａの壁に当たらないように穴１２ａの壁面を開放する必要がなく、肩支持部１２の形状を簡単化することができる。
【００２８】
さらなる他の実施形態においては、第２および第３筒状部材１３２および１３３自体に穴を形成するようにし、当該穴に各付属ハンガー２および３を掛着させるようにしてもよい。また、第２および第３筒状部材１３２および１３３自体に直接、各付属ハンガー２および３のフック２１および３１を掛けるようにしてもよい。これらによれば、接続部材１３４および１３５が不要となるので、穴１２ａの下側の内壁１２ｂを開放する必要がなく、肩支持部１２の形状を簡単化することができる。
【００２９】
次に、図１を参照して、第１付属ハンガー２および第２付属ハンガー３の構成について説明する。第１付属ハンガー２は、フック２１およびボトムス掛部２２を備えている。ボトムス掛部２２は、ボトムスを掛けるための部材であり、１本の棒状部材が鋭角で折り曲げられた形状である。ボトムス掛部２２は、三角形の枠の一辺を取り除いた形状であるので、取り除かれた一辺の側からボトムスを掛けたり外したりすることを容易に行うことができる。なお、主ハンガー１の肩支持部１２と同様、ボトムス掛部２２の材質はどのようなものであってもよい。また、ボトムス掛部２２の一端には、フック２１が取り付けられる。フック２１は、鉤状の形状であり、第１付属ハンガー２を主ハンガー１の伸縮棒１３に掛着させるための部材である。このように、本実施形態では、第１付属ハンガー２は、主ハンガー１に着脱自在に接続される。
【００３０】
第２付属ハンガー３は、フック３１、肩支持部３２、および横棒部３３を備えている。第２付属ハンガー３は、従来のハンガーとほぼ同様の構造である。肩支持部３２は、主ハンガー１の肩支持部１２と同様の構成である。肩支持部３２の材質は、主ハンガー１の肩支持部１２と同様、どのようなものであってもよい。第２付属ハンガー３は、主にワイシャツまたはブラウス等（以下、トップスと呼ぶ）を掛けるために用いられる。したがって、第２付属ハンガー３の肩支持部３２は、主ハンガー１の肩支持部１２より小型でも構わない。また、横棒部３３は、棒状の部材であり、その両端が肩支持部３２の両端に接続される。なお、本実施形態においては、横棒部３３の中央付近の上側には、凹型の溝３３ａが形成されてもよい。溝３３ａは、横棒部３３にネクタイやネッカチーフ等を吊り下げるために設けられる。つまり、溝３３ａにネクタイやネッカチーフを吊り下げることによって、吊り下げたネクタイやネッカチーフが左右にずれることがなくなる。フック３１は、鉤状の形状であり、肩支持部３２の中央部分の上端に取り付けられる。フック３１は、第２付属ハンガー３を主ハンガー１の伸縮棒１３に掛着させるための部材である。第１付属ハンガー２と同様、第２付属ハンガー３は、主ハンガー１に着脱自在に接続される。
【００３１】
なお、各接続部材１３４および１３５に各付属ハンガー２および３をそれぞれ接続した状態で伸縮棒１３を縮めた場合に、主ハンガー１と各付属ハンガー２および３とが互いに接触しないように構成されることが好ましい。つまり、主ハンガー１と各付属ハンガー２および３とが互いに接触しないように、肩支持部１２、ボトムス掛部２２、および肩支持部３２の形状を調整したり、接続部材１３４および１３５の上下方向の長さを調整したりすることが好ましい。
【００３２】
また、他の実施形態においては、付属ハンガー２および３は、主ハンガー１に対して着脱自在でなく、固定的に接続されていてもよい。
【００３３】
次に、以上のように構成されたハンガーの使用方法および使用時の動作について説明する。ここでは、使用者が主ハンガー１に上着服を掛け、第１付属ハンガー２にボトムスを掛け、第２付属ハンガー３にトップスを掛ける場合を例として説明する。
【００３４】
まず、使用者は、各付属ハンガー２および３が接続されている伸縮棒１３を、伸ばした状態（図２）にする。そして、着ている上着服を脱いで主ハンガー１に掛ける。このとき、伸縮棒１３を伸ばした状態にしているので、主ハンガー１と各付属ハンガー２および３との間には間隔が空いている。したがって、主ハンガー１に上着服を掛ける際に付属ハンガー２および３が邪魔にならず、容易に上着服を掛けることができる。使用者は、さらに、第１付属ハンガー２にボトムスを掛け、第２付属ハンガー３にトップスを掛ける。このときも上着服を掛ける場合と同様、各ハンガー１〜３の間には間隔が空いているので、使用者はボトムスおよびトップスを容易にハンガーへ掛けることができる。なお、本実施形態では、各付属ハンガー２および３は主ハンガー１に対して着脱可能であるので、使用者は、付属ハンガーを主ハンガー１から外してトップスやボトムスを付属ハンガーに掛けるようにしてもよい。このとき、主ハンガー１と第１接続部材１３４と第２接続部材１３５との間にはそれぞれ間隔が空いているので、付属ハンガーの主ハンガー１への掛着を容易に行うことができる。以上のように、本実施形態によれば、各衣服（上着服、ボトムス、およびトップス）を脱衣順にハンガーに容易に掛けることができる。
【００３５】
なお、各衣服を各ハンガー１〜３に掛けて保管する際には、伸縮棒１３を伸ばした状態で保管してもよいし、伸縮棒１３をある程度縮めた状態にしてもよい。伸縮棒１３を縮めた状態とすることによって、伸縮棒１３が伸びている状態に比べて各ハンガー１〜３の前後方向の幅を小さくすることができるので、衣服を掛けた各ハンガー１〜３の全体の幅を小さくし、収納しやすくすることができる。一方、伸縮棒１３を伸ばした状態で保管する場合には、各衣服が互いに接触しないので、型くずれしたり、しわが付いたりしにくい状態で各衣服を保管することができる。
【００３６】
また、各ハンガー１〜３から各衣服を外して各ハンガー１〜３を使用しない場合には、伸縮棒１３を縮めた状態（図３）とするとよい。このような状態とすることによって、伸縮棒１３が伸びている状態に比べて３つのハンガー１〜３の全体の前後方向に要する幅を小さくすることができる。具体的には、本実施形態では、伸縮棒１３を縮めた状態では、３つのハンガー１〜３の前後方向の幅はハンガー１つ分の幅、すなわち、主ハンガー１の幅に縮小される。したがって、ハンガーを使用しないときには場所を取らず、ハンガーを収納しやすくなる。
【００３７】
なお、上記実施形態においては、各筒状部材１３１〜１３３に突起部を設けることによって筒状部材の抜け落ちを防止するようにした。具体的には、上記実施形態においては、突起部の形状は、図２および図３に示す断面が四角形であったが、図４に示されるように、当該断面が三角形となる形状であってもよい。図４は、他の実施形態における主ハンガーの断面を示す図である。図４においては、各筒状部材１３１〜１３３および肩支持部１２の穴１２に設けられる突起部は、端部にいくに従って突起の高さが大きくなる形状である。これによれば、伸縮棒１３を伸ばした時に突起部の斜面同士が当接し、外側の筒状部材と内側の筒状部材とが互いを押し合う力が働き、両者の摩擦力が大きくなる。したがって、伸縮棒１３を伸ばした状態が維持されやすくなり、伸縮棒１３が伸びた状態から簡単に縮んでしまうことを防止することができる。また、他の実施形態においては、各筒状部材１３１〜１３３自体を、前側にいくほど穴が小さくなるような形状（円錐状）としてもよい。これによっても上記と同様、伸縮棒１３を伸ばした状態が維持されやすくなる。
【００３８】
さらに、他の実施形態においては、図２に示したような突起部に代えて、点状の突起と当該突起に嵌合する穴とを設ける構成としてもよい。具体的には、一方の筒状部材の内側の側面および他方の筒状部材の外側の側面に対して、一方に点状の突起を設けるとともに、他方に穴を設けるのである。そして、伸縮棒１３を伸ばした状態で上記突起と上記穴とが勘合するようにする。これによっても、伸縮棒１３を伸ばした状態で固定することができる。
【００３９】
（第２の実施形態）
以下、図５〜図８を参照して、本発明の第２の実施形態に係るハンガーセットの構造について説明する。第２の実施形態においては、主ハンガーが、第１の実施形態における伸縮棒に代えて旋回部材を備える点で第１の実施形態と異なっている。以下、第１の実施形態との相違点を中心に、第２の実施形態について説明する。
【００４０】
図５は、第２の実施形態に係るハンガーセットの構成を示す全体斜視図である。図５に示すように、第２の実施形態に係るハンガーセットは、第１の実施形態と同様、主ハンガー１と、第１付属ハンガー２と、第２付属ハンガー３とを含む。また、主ハンガー１は、フック１１、肩支持部１５、および、旋回部材１６を備えている。なお、図５〜図８においては、第１の実施形態と同じ構成部材については同じ図１と同じ参照符号を付し、詳細な説明を省略する。また、以下では、図５に示すｘ軸正方向を主ハンガー１の前方向（前側）とし、ｘ軸負方向を主ハンガー１の後方向（後側）とし、ｙ軸正方向を主ハンガー１の上方向（上側）とし、ｙ軸負方向を主ハンガー１の下方向（下側）とし、ｚ軸正方向を主ハンガー１の右方向（右側）とし、ｚ軸負方向を主ハンガー１の左方向（左側）として、主ハンガー１の構成を説明する。
【００４１】
第２の実施形態の肩支持部１５は、穴１２ａが設けられない点、ならびに、旋回軸１５１および固定部材１５２を備える点で、第１の実施形態の肩支持部１２と異なっており、その他の点は肩支持部１２と同じである。なお、第２の実施形態における主ハンガー１は、旋回軸１５１、固定部材１５２、および旋回部材１６を有しない点以外は従来のハンガーと同様の構成である。したがって、主ハンガー１は、従来の構成のハンガーに、旋回軸１５１、固定部材１５２、および旋回部材１６を後付けすることによって作製することも可能である。
【００４２】
図６は、旋回軸１５１および固定部材１５２の詳細な構成を示す図である。図６では、旋回軸１５１および固定部材１５２の構成を見やすく示すために、肩支持部１５のうち、旋回軸１５１および固定部材１５２が取り付けられる部分付近のみを示している。
【００４３】
旋回軸１５１は、棒状の部材であり、図６では図示していないが、主ハンガー１の左右方向と略平行になるように肩支持部１５の内壁に固着されている。なお、第２の実施形態においては、肩支持部１５には穴が設けられておらず、内側に空洞を有する形状となっている。旋回軸１５１は、旋回部材１６を回転可能に支持している。また、図６に示されるように、固定部材１５２は、第１固定部および第２固定部という２つの部材からなり、各固定部はそれぞれ肩支持部１５の内壁の前側に固着されている。各固定部は、それぞれ１つずつ突起部１５２ａを有しており、２つの突起部１５２ａが所定の間隔を空けて互いに対向する位置となるように配置される。固定部材１５２は、旋回部材１６を所定の状態（後述する突出状態）で固定するための部材である。
【００４４】
図５および図６に示されるように、旋回部材１６は、２本の棒状部材を略垂直に接続した形状（Ｌ字型の形状）である。旋回部材１６を構成する一方の棒状部材（第１部材と呼ぶ。）には穴（本実施形態では、２つの穴１６ａおよび１６ｂ）が設けられている。穴１６ａおよび１６ｂは、旋回部材１６の第１部材に各付属ハンガー２および３を接続するための部材である。つまり、当該穴１６ａおよび１６ｂに付属ハンガー２および３のフックを掛着することによって、主ハンガー１に各付属ハンガー２および３を接続することができる（図５参照）。なお、２つの穴１６ａおよび１６ｂは、各付属ハンガー２および３をある程度の間隔を空けて接続することができるように設けられている。また、２つの棒状部材の接続部分に対してもある程度の間隔が空いた位置に設けられる。第２の実施形態では、第２付属ハンガー３を接続するための穴１６ｂは、第１部材の先端に設けられ、第１付属ハンガー２を接続するための穴１６ａは、第１部材の中央付近に設けられている。
【００４５】
上記第２の実施形態においては、旋回部材１６に付属ハンガーを接続するための構成として、旋回部材１６に穴を設けるようにしたが、旋回部材１６に付属ハンガーを接続するための構成はどのような構成であってもよい。例えば、第１の実施形態における接続部材を旋回部材１６に取り付けるようにしてもよいし、フックを旋回部材１６に取り付けるようにしてもよい。
【００４６】
また、旋回部材１６は、旋回部材１６を構成する他方の棒状部材（穴が設けられていない棒状部材。第２部材と呼ぶ。）の端部で旋回軸１５１に回転可能に接続されている。つまり、旋回部材１６は、旋回軸１５１を中心にしてｚ軸回りに回転可能である。上記構成に係る旋回部材１６は、２本の棒状部材がそれぞれ旋回軸１５１に対して略垂直となる状態で接続されている。また、第２部材の左右方向の幅は、固定部材１５２の上記２つの突起部１５２ａの先端同士の間隔よりも長く、突起部１５２ａがない箇所での２つの固定部の間隔よりも短くなるように設定される。また、第２部材の左右両側には、突起部１５２に嵌合する穴１６ａが設けられる。
【００４７】
上記旋回部材１６は、旋回軸１５１によって回転可能に支持されることによって、収納状態および突出状態という２つの状態をとることができる。図７は収納状態における主ハンガー１を示す図であり、図８は突出状態における主ハンガー１を示す図である。なお、図７および図８では、左方向からの旋回部材１６を見やすく示すために、肩支持部１５の左半分を切り欠いて示している。
【００４８】
収納状態とは、図７に示されるように、旋回部材１６が主ハンガー１の内側に収納されている状態である。収納状態は、旋回部材１６が自重により旋回軸１５１に吊り下げられた状態である。一方、突出状態とは、図８に示されるように、旋回部材１６の上記第１部材が肩支持部１５の前側の表面から突出した状態である。突出状態においては、旋回部材１６の第２部材の穴１６ａと、固定部材１５２の２つの突起部１５２ａとが嵌合する。これによって、旋回部材１６は、自重や付属ハンガーの重みによっても突出状態を維持することができるようになっている。なお、旋回部材１６は、自重や付属ハンガーの重みによっても突出状態を維持することができるように構成されるが、使用者がある程度の力を加えることにより第２部材の穴１６ａと突起部１５２ａとの嵌合が外れて収納状態にすることができるように、穴１６ａおよび突起部１５２ａの大きさや、突起部１５２ａおよび旋回部材１６の材質を設計することが好ましい。
【００４９】
なお、第２の実施形態に示した、固定部材１５２による旋回部材１６の固定方法は一例であり、旋回部材１６を突出状態で固定するための手段は、どのような手段であってもよい。例えば、第２の実施形態と同様、突起と穴とを嵌合させることで固定する場合であっても、突起および穴を設ける位置はどのような位置であってもよい。また、例えば、旋回部材１６の第２部材を挟持することが可能な機構を固定部材として用いてもよい。
【００５０】
上記突出状態においては、第１部材の向きは主ハンガー１から前方に延びた向きになっているので、各穴１６ａおよび１６ｂに付属ハンガー２および３を接続した場合、主ハンガー１と第１付属ハンガー２と第２付属ハンガー３とは、それぞれ互いに前後方向に間隔を空けて配置されることとなる。
【００５１】
以上に説明した点を除いて、第２の実施形態における主ハンガー１の構成は第１の実施形態と同様である。また、第２の実施形態における付属ハンガー２および３の構成は第１の実施形態と同様である。第２の実施形態においても第１の実施形態と同様、付属ハンガー２および３は主ハンガー１に対して着脱可能であってもよいし、固定的に接続されていてもよい。
【００５２】
次に、以上のように構成された第２の実施形態におけるハンガーの使用方法および使用時の動作について説明する。ここでは、使用者が主ハンガー１に上着服を掛け、第１付属ハンガー２にボトムスを掛け、第２付属ハンガー３にトップスを掛ける場合を例として説明する。
【００５３】
まず、使用者は、各付属ハンガー２および３が接続されている旋回部材１６を、上記突出状態（図８）にする。そして、着ている上着服を脱いで主ハンガー１に掛ける。このとき、主ハンガー１と第１付属ハンガー２と第２付属ハンガー３とは、互いに前後方向に間隔を空けて配置されている。したがって、主ハンガー１に上着服を掛ける際に付属ハンガー２および３が邪魔にならず、容易に上着服を掛けることができる。使用者は、さらに、第１付属ハンガー２にボトムスを掛け、第２付属ハンガー３にトップスを掛ける。このときにおいても上着服を掛ける場合と同様、各ハンガー１〜３の間には間隔が空いているので、使用者はボトムスおよびワイシャツを容易に掛けることができる。なお、第２の実施形態でも第１の実施形態と同様、各付属ハンガー２および３は、主ハンガー１に対して着脱可能であるので、使用者は、付属ハンガーを主ハンガー１から外してワイシャツやボトムスを付属ハンガーに掛けるようにしてもよい。このとき、主ハンガー１と穴１６ａと穴１６ｂとの間にはそれぞれ間隔が空いているので、付属ハンガーの主ハンガー１への掛着を容易に行うことができる。以上のように、第２の実施形態によれば、第１の実施形態と同様、各衣服（上着服、ボトムス、およびトップス）を脱衣順にハンガーに容易に掛けることができる。
【００５４】
なお、各衣服を各主ハンガー１〜３に掛けて保管する際には、旋回部材１６を収納状態にしてもよいし、突出状態にしてもよい。旋回部材１６を収納状態とすることによって、突出状態に比べて各ハンガー１〜３の全体の前後方向の幅を小さくすることができるので、衣服を掛けた各ハンガー１〜３の幅を小さくし、収納しやすくすることができる。一方、旋回部材１６を突出状態で保管する場合には、各衣服が互いに接触しないので、型くずれしたり、しわが付いたりしにくい状態で各衣服を保管することができる。
【００５５】
また、各ハンガー１〜３から各衣服を外して各ハンガー１〜３を使用しない場合には、旋回部材１６を収納状態とするとよい。このような状態とすることによって、伸縮棒１３が伸びている状態に比べて３つのハンガー１〜３の全体の前後方向に係る幅を小さくすることができ、ハンガーを収納しやすくなる。
【００５６】
以上のように、本発明によれば、各衣服（上着服、ボトムス、およびワイシャツ（ブラウス））を脱衣順にハンガーに容易に掛けること可能なハンガーを提供することができる。よって、公共の場で更衣する場合には、容易にボトムスを更衣作業の最後にハンガーに掛けられるので、他人に下着を見られる時間が少なくて済み、更衣姿も不格好とはならず、本発明に係るハンガーの使用者は、スマートに更衣作業を完了することができる。また、例えば衣類を保管する場合や、ハンガーを使用しない場合等の適宜の場合には、複数のハンガーの（前後方向の）幅を小さくすることにより、収納しやすいハンガーを提供することができる。
【００５７】
また、本発明では、付属ハンガーは主ハンガーに掛着されるので、主ハンガーのみを掛着することができれば、他の複数のハンガーをハンガーパイプや壁に取り付けられたフックに掛着することができることになる。特に、壁に取り付けられたフックには複数のハンガーを掛着することは難しいので、このようなフックにハンガーを掛着する場合には本発明のハンガーが特に有効である。また、本発明によれば、ハンガーを衣料収納スペースから取り出す際にも一度で複数のハンガーを取り出すことができ、衣服の整理および管理も行ないやすい等の利点がある。
【００５８】
さらに、本発明では、付属ハンガーの肩支持部と主ハンガーの肩支持部とは、重なり合わないように配置されている。そのため、本発明に係るハンガーに、上着服及びボトムス並びにトップスが掛けられた場合には、従来のハンガーが同数の衣服を収納するに必要な収納スペースより少なくて済む。従来のハンガーにおいて上着服及びボトムス並びにトップスを収納する場合には、３本分のハンガーの収納スペースを必要としていた。つまり、通常の衣料用収納スペースのハンガーパイプ等は、更衣者に対して左右に伸びるようにして設置されている。よって、当該左右の方向から見た場合、各々のハンガーの側面の厚みを合算した収納スペースを必要としていた。すなわち、１本のハンガーが必要とする収納スペースは、ハンガーの側面方向から見た場合、肩支持部の背面後端部から湾曲された肩支持部の前面先端部までの寸法である。よって、３本の従来のハンガーを衣料用収納スペースに収納する場合には、３本分の当該厚みの収納スペースを必要としていた。
【００５９】
しかし、本発明に係るハンガーでは、主ハンガーの肩支持部の下端より下方に付属ハンガーの肩支持部が配置されるようになっている。よって、主ハンガーの肩支持部の湾曲されたスペース内に付属ハンガーが収まることとなる。したがって、本発明に係るハンガーに上着服及びボトムス並びにトップスを掛けた場合には、従来のハンガーで同数の衣服を掛けるのに必要としていた収納スペースから比べ、当該湾曲されたスペース分の収納面積が少なくて済むこととなる。
【００６０】
また、上記第１および第２の実施形態では、主ハンガー１に２つの付属ハンガーを接続する構成を例として説明したが、主ハンガー１に接続可能な付属ハンガーの個数は、１つであってもよいし３つ以上であってもよい。また、各付属ハンガーの形状についても上記実施形態の形状に特定されず、各付属ハンガーの形状は全て同じであってもよい。なお、主ハンガーに上着服を掛けるとともに付属ハンガーにボトムスを掛けて使用することを想定する場合には、付属ハンガーのうち少なくとも１つは、上記第１付属ハンガー２や、横棒部３３を備えるハンガーのように、ボトムスを掛けることが可能なハンガーとすることが好ましい。
【産業上の利用可能性】
【００６１】
本発明は、使用者が脱衣順に衣料をハンガーに掛けることを容易に行うこと等を目的とした衣料用ハンガーとして利用することが可能である。
【図面の簡単な説明】
【００６２】
【図１】第１の実施形態に係るハンガーセットの構成を示す全体斜視図
【図２】図１に示す主ハンガー１の断面図
【図３】図１に示す主ハンガー１の断面図
【図４】他の実施形態における主ハンガーの断面を示す図
【図５】第２の実施形態に係るハンガーセットの構成を示す全体斜視図
【図６】旋回軸１５１および固定部材１５２の詳細な構成を示す図
【図７】収納状態における主ハンガー１を示す図
【図８】突出状態における主ハンガー１を示す図
【符号の説明】
【００６３】
１    主ハンガー
２    第１付属ハンガー
３    第２付属ハンガー
１１  フック
１２，１５  肩支持部
１３  伸縮棒
１６  旋回部材
１５２  固定部材
【図１】
2009045146.tif 000003
【図２】
2009045146.tif 000004
【図３】
2009045146.tif 000005
【図４】
2009045146.tif 000006
【図５】
2009045146.tif 000007
【図６】
2009045146.tif 000008
【図７】
2009045146.tif 000009
【図８】
2009045146.tif 000010